(57)【特許請求の範囲】
【請求項１】
ベースプレート、及び入力部と出力部との間に介在する変圧器領域を含む、アンテナ電力システムの集積コンバータであって：
前記変圧器領域が、
磁気コア頂部；
前記ベースプレート上に配置された磁気コア底部；
前記磁気コア頂部の中央部と前記磁気コア底部の中央部との間に延在する磁気コアピラー；
前記磁気コアピラーの両側で誘電材料層間に介在する、シールド材料及び磁気コア材料の層と、巻線及び磁気コア材料の層と、シールド材料及び磁気コア材料の層との連続層；
を含み、
前記のシールド材料及び磁気コア材料の各連続層内の磁気コア材料が、前記磁気コアピラーの周りにＣ形状又は逆Ｃ形状を形成する、集積コンバータ。
【請求項２】
電気的に絶縁されたブリッジコンバータとして提供される請求項1に記載の集積コンバータ。
【請求項３】
前記シールド材料は、金属材料を含むことを特徴とする請求項1に記載の集積コンバータ。
【請求項４】
前記磁気コア頂部及び前記磁気コア底部は、同様の幅を有し、
前記磁気コアピラーは前記磁気コア頂部及び前記磁気コア底部よりも小さい幅を有し、
前記巻線及び磁気コア材料の連続層は、前記磁気コア頂部及び前記磁気コア底部のそれぞれの端部へと外方に延びている、
請求項1に記載の集積コンバータ。
【請求項５】
前記連続層は：
一次巻線材料と；
前記一次巻線材料の上方及び下方の第１及び第２の一次シールド材料と；
二次巻線材料と；
前記二次巻線材料の上方及び下方にある第１及び第２の二次シールド材料と；
を含む、
請求項１に記載の集積コンバータ。
【請求項６】
前記第１及び第２の一次シールド材料は、前記入力部から前記変圧器領域へと連続的に延在し、
前記第１及び第２の二次シールド材料は、前記出力部から前記変圧器領域内へと連続的に延在する、
請求項５に記載の集積コンバータ。
【請求項７】
前記第１及び第２の一次シールド材料は、前記出力部内のシールド材料に不連続に対応し、
前記第１及び第２の二次シールド材料は、前記入力部内のシールド材料に不連続に対応する、
請求項５に記載の集積コンバータ。
【請求項８】
ACを受け取る交流（AC）／直流（DC）コンバータ；
前記AC／DCコンバータからDCを受け取る共通バス；及び
前記共通バスに結合された複数の送受信(T／R)チャネル；
を含むアンテナ電力システムであって：
前記各T／Rチャネルが、
電力増幅アセンブリ；及び
前記共通バスと前記電力増幅アセンブリとの間に電気的に介在する個別的入力キャパシタ；
を有し、
前記電力増幅アセンブリが、電力増幅器と、請求項１に記載の集積コンバータとの間に電気的に介在する個別的出力キャパシタとを備え、前記集積コンバータが前記変圧器領域内に延在するシールドを備える集積DC／DCコンバータである、
ことを特徴とするアンテナ電力システム。
【請求項９】
前記集積DC／DCコンバータは、電気的に絶縁されたブリッジコンバータとして提供される、請求項８に記載のアンテナ電力システム。
【請求項１０】
前記集積DC／DCコンバータの前記変圧器領域は、前記個別的入力キャパシタを含む入力部と、前記個別的出力キャパシタを含む出力部との間に配置される、請求項８に記載のアンテナ電力システム。
【請求項１１】
前記集積DC／DCコンバータの前記変圧器領域は、
磁気コア頂部；
ベースプレート上に配置された磁気コア底部；
前記磁気コア頂部の中央部と前記磁気コア底部の中央部との間に延在する磁気コアピラー；
前記磁気コアピラーの両側で誘電材料層間に介在する、シールド材料及び磁気コア材料の層と、巻線及び磁気コア材料の層と、シールド材料及び磁気コア材料の層との連続層；
を含む、
ことを特徴とする請求項８に記載のアンテナ電力システム。
【請求項１２】
前記シールド材料は、金属材料を含むことを特徴とする請求項１１に記載のアンテナ電力システム。
【請求項１３】
前記磁気コア頂部及び前記磁気コア底部は、同様の幅を有し、
前記磁気コアピラーは前記磁気コア頂部及び前記磁気コア底部よりも小さい幅を有し、
前記巻線及び磁気コア材料の連続層は、前記磁気コア頂部及び前記磁気コア底部のそれぞれの端部へと外方に延びている、
請求項１１に記載のアンテナ電力システム。
【請求項１４】
前記連続層は：
一次巻線材料と；
前記一次巻線材料の上方及び下方の第１及び第２の一次シールド材料と；
二次巻線材料と；
前記二次巻線材料の上方及び下方にある第１及び第２の二次シールド材料と；
含む、
請求項１１に記載のアンテナ電力システム。
【請求項１５】
前記第１及び第２の一次シールド材料は、前記個別的入力キャパシタから前記変圧器領域へと連続的に延在し、
前記第１及び第２の二次シールド材料は、前記個別的出力キャパシタから前記変圧器領域内へと連続的に延在する、
請求項１４に記載のアンテナ電力システム。
【請求項１６】
前記第１及び第２の一次シールド材料は、前記個別的出力キャパシタ内のシールド材料に不連続に対応し、
前記第１及び第２の二次シールド材料は、前記個別的入力キャパシタ内のシールド材料に不連続に対応する、
請求項１４に記載のアンテナ電力システム。
【請求項１７】
前記のシールド材料及び磁気コア材料の各連続層内の磁気コア材料が、前記磁気コアピラーの周りにＣ形状又は逆Ｃ形状を形成する、
ことを特徴とする請求項１１記載のアンテナ電力システム。
【請求項１８】
集積直流（DC）／DCコンバータを形成する方法であって：
入力部において、インターリーブされた入力部シールド材料の第１の層及び第２の層を、該第1の層と第2の層との間に介在される誘電材料の層とともに配置するステップ；
出力部において、インターリーブされた出力部シールド材料の第１の層及び第２の層を、該第1の層と第2の層との間に介在される誘電材料の層とともに配置するステップ；
前記入力部と前記出力部との間の変圧器領域において、頂部磁気コア部分と底部磁気コア部分との間に磁気コアピラーを組み立てるステップ；
前記変圧器領域において、巻線を有する磁気コア材料の層、前記入力部シールド材料の第１の層の延長部、又は前記出力部シールド材料の第２の層の延長部を有する誘電材料の層をインターリーブするステップ；及び
前記巻線、前記入力部シールド材料の第１の層の延長部、又は前記出力部シールド材料の第２の層の延長部を有する誘電材料の層において、前記磁気コアピラーの周りに、前記磁気コア材料をＣ字形及び逆Ｃ字形に配置するステップ；
を含む方法。
【発明の詳細な説明】
【技術分野】
【０００１】
連邦政府主催の研究開発：本発明は、米国海軍によって授与された契約番号N00014-13-C-0231の下で政府の支援を受けてなされた。米国政府は、本発明に一定の権利を有する。
【背景技術】
【０００２】
以下の説明は、異種集積電力コンバータアセンブリ（heterogeneously  integrated  power  converter  assembly）に関し、より具体的には、集積直流／直流コンバータ（integrated  DC／DC  converter）を有するアンテナ電力システムに関する。
【０００３】
レーダ及び他の類似の用途のための従来のアンテナ電力システムでは、電圧品質を達成するために必要とされる膨大な数のオフアレイサブシステム及び電磁干渉（EMI）フィルタが一般的に存在する。例えば、レーダシステムは、電力分配ユニット（PDU）、電力変換及び分配のための開口電力室（APR）、マルチケーブル配線及びアレイアンテナを含むことができる。
【０００４】
PDUは、電圧降下と、より低い全高調波歪み(THD)に等しい力率補正(PFC)とを提供するために必要な12相変圧器を含むことができる。APRは、PDUから12相440ボルトACを受け取る複数の交流（AC）／DCコンバータを含むことができる。マルチケーブル配線は、AC／DCコンバータからDCを受け取るDC配線バスを含むことができる。アレイアンテナは、複数のアンテナアレイを含む。
【０００５】
各アンテナアレイは、多数の送信／受信集積マイクロ波モジュール(T／RIMM)及び複数の送信／受信(T／R)チャネルを含む。各T／RIMMは、複数の線形レギュレータ(T／Rチャネル当たり1つ)、及び複数の線形レギュレータとDC分配バスとの間に電気的に介在するDC／DCコンバータを含む。DC／DCコンバータは、T／R動作において電圧降下、高速動的負荷応答を提供し、電圧リップル及びノイズを低減するように、機能する。各線形レギュレータは、負荷電圧の高速応答及び低ノイズ点を提供する。各T／Rチャネルは、T／R動作の責任があり、電力増幅器を含み、また、該電力増幅器と対応する線形レギュレータのうちの1つとの間に電気的に介在する変調器（modulator）を含む。
【発明の概要】
【課題を解決するための手段】
【０００６】
本開示の一態様に従って、電力コンバータアセンブリが提供される。電力コンバータアセンブリは、高品質ファクタ（Ｑ）シールド対トランジスタ集積低インダクタンスキャパシタ素子を備え、共通モード（ＣＭ）電流を方向づける。また、高Ｑシールド対シールド集積低インダクタンスキャパシタ素子を備え、ライン対ラインフィルタキャパシタを補完する。さらに、高Ｑベースプレート集積低インダクタンスキャパシタ素子を備え、残留ＣＭ電流を減衰させる。
【０００７】
追加的な又は代替の実施形態に従って、電力コンバータアセンブリは、電気的に絶縁されたブリッジコンバータとして提供される。
【０００８】
本開示の別の態様に従って、アンテナ電力システムの集積コンバータが設けられ、ベースプレートと、入力部と出力部との間に介在する変圧器領域とを含む。変圧器領域は、磁気コア頂部と、ベースプレート上に配置された磁気コア底部と、磁気コア頂部の中央部と磁気コア底部との間に延在する磁気コアピラーと、前記磁気コアピラーの両側で誘電材料層間に介在する、シールド材料及び磁気コア材料の層と、巻線及び磁気コア材料の層と、シールド材料及び磁気コア材料の層との連続層とを含む。
【０００９】
追加的な又は代替の実施形態に従って、集積化されたコンバータは、電気的に絶縁されたブリッジコンバータとして提供される。
【００１０】
追加的な又は代替の実施形態に従って、シールド材料は金属材料を含む。
【００１１】
追加的な又は代替の実施形態に従って、磁気コア頂部及び磁気コア底部は、同様の幅を有し、
磁気コアピラーは磁気コア頂部及び磁気コア底部よりも小さい幅を有し、巻線及び磁気コア材料の連続層は、前記磁気コア頂部及び前記磁気コア底部のそれぞれの端部へと外方に延びている。
【００１２】
追加的な又は代替の実施形態に従って、連続層は、一次巻線材料と、一次巻線材料の上方及び下方の第１及び第２の一次シールド材料と、二次巻線材料と、二次巻線材料の上方及び下方にある第１及び第２の二次シールド材料とを含む。
【００１３】
追加的な又は代替の実施形態に従って、第１及び第２の一次シールド材料は、入力部から変圧器領域へと連続的に延在し、第１及び第２の二次シールド材料は、出力部から変圧器領域内へと連続的に延在する。
【００１４】
追加的な又は代替の実施形態に従って、第１及び第２の一次シールド材料は、出力部内のシールド材料に不連続に対応し、第１及び第２の二次シールド材料は、入力部内のシールド材料に不連続に対応する。
【００１５】
本開示の別の態様に従って、シールド材料及び磁気コア材料の各連続層内の磁気コア材料が、磁気コアピラーの周りにＣ形状又は逆Ｃ形状を形成する。
【００１６】
本開示の別の態様に従って、アンテナ電力システムが提供される。アンテナ電力システムは、  ACを受け取る交流（AC）／直流（DC）コンバータと、AC／DCコンバータからDCを受け取る共通バスと、共通バスに結合された複数の送受信(T／R)チャネルとを含む。各T／Rチャネルが、電力増幅アセンブリと；共通バスと前記電力増幅アセンブリとの間に電気的に介在する個別的入力キャパシタとを有し、電力増幅アセンブリが、電力増幅器と、変圧器領域内に延在するシールドを備える集積DC／DCコンバータとの間に電気的に介在する個別的出力キャパシタとを備える。
【００１７】
追加的な又は代替の実施形態に従って、集積DC／DCコンバータは、電気的に絶縁されたブリッジコンバータとして提供される。
【００１８】
追加的な又は代替の実施形態に従って、集積DC／DCコンバータの変圧器領域は、個別的入力キャパシタを含む入力部と、個別的出力キャパシタを含む出力部との間に配置される。
【００１９】
追加的な又は代替の実施形態に従って、集積DC／DCコンバータの変圧器領域は、磁気コア頂部と、ベースプレート上に配置された磁気コア底部と、磁気コア頂部の中央部と磁気コア底部の中央部との間に延在する磁気コアピラーと、磁気コアピラーの両側で誘電材料層間に介在する、シールド材料及び磁気コア材料の層と、巻線及び磁気コア材料の層と、シールド材料及び磁気コア材料の層との連続層とを含む。
【００２０】
追加的な又は代替の実施形態に従って、シールド材料は金属材料を含む。
【００２１】
追加的な又は代替の実施形態に従って、磁気コア頂部及び磁気コア底部は、同様の幅を有し、磁気コアピラーは磁気コア頂部及び磁気コア底部よりも小さい幅を有し、巻線及び磁気コア材料の連続層は、磁気コア頂部及び磁気コア底部のそれぞれの端部へと外方に延びている。
【００２２】
追加的な又は代替の実施形態に従って、連続層は、一次巻線材料と、一次巻線材料の上方及び下方の第１及び第２の一次シールド材料と、二次巻線材料と、二次巻線材料の上方及び下方にある第１及び第２の二次シールド材料とを含む。
【００２３】
追加的な又は代替の実施形態に従って、第１及び第２の一次シールド材料は、個別的入力キャパシタから変圧器領域へと連続的に延在し、第１及び第２の二次シールド材料は、個別的出力キャパシタから変圧器領域内へと連続的に延在する。
【００２４】
追加的な又は代替の実施形態に従って、第１及び第２の一次シールド材料は、個別的出力キャパシタ内のシールド材料に不連続に対応し、第１及び第２の二次シールド材料は、個別的入力キャパシタ内のシールド材料に不連続に対応する。
【００２５】
追加的な又は代替の実施形態に従って、シールド材料及び磁気コア材料の各連続層内の磁気コア材料が、磁気コアピラーの周りにＣ形状又は逆Ｃ形状を形成する。
【００２６】
本開示の別の態様に従って、集積直流（DC）／DCコンバータを形成する方法が提供される。該方法は、入力部において、インターリーブされた入力部シールド材料の第１の層及び第２の層を、該第1の層と第2の層との間に介在される誘電材料の層とともに配置するステップと、出力部において、インターリーブされた出力部シールド材料の第１の層及び第２の層を、該第1の層と第2の層との間に介在される誘電材料の層とともに配置するステップと、入力部と出力部との間の変圧器領域において、頂部磁気コア部分と底部磁気コア部分との間に磁気コアピラーを組み立てるステップと、変圧器領域において、巻線を有する磁気コア材料の層、入力部シールド材料の第１の層の延長部、又は出力部シールド材料の第２の層の延長部を有する誘電材料の層をインターリーブするステップとを含む。
【００２７】
追加的な又は代替の実施態様に従って、本方法はさらに、巻線、入力部シールド材料の第１の層の延長部、又は出力部シールド材料の第２の層の延長部を有する誘電材料の層において、磁気コアピラーの周りに、磁気コア材料をＣ字形及び逆Ｃ字形に配置するステップを含む。
【００２８】
これら及び他の利点及び特徴は、図面に関連して以下の説明からより明らかになるであろう。
【００２９】
開示とみなされる主題事項は、明細書の末尾の特許請求の範囲において特に指摘され、明確に請求されている。前述及び他の特徴、及び本開示の利点は、添付の図面に関連した以下の詳細な説明から明らかである。
【図面の簡単な説明】
【００３０】
【図１】一実施形態に従ったアンテナアレイ電力システムの概略図である。
【図２Ａ】図１のアンテナアレイ電力システムで使用するための集積DC／DC電力コンバータの側面図である。
【図２Ｂ】図２Ａの集積DC／DC電力コンバータの変圧器領域の拡大側面図である。
【図３】図２Ａの線3-3に沿った断面図である。
【図４】図２Ａの線4-4に沿った断面図である。
【図５】図２Ａの線5-5に沿った断面図である。
【図６】図２Ａの線6-6に沿った断面図である。  これら及び他の利点及び特徴は、図面に関連した以下の説明からより明らかになるであろう。
【発明を実施するための形態】
【００３１】
以下に説明するように、アンテナアレイ電力システムのアーキテクチャは、T／Rモジュール又はチャネルベースのDC／DCコンバータを備えている。これは、従来のシステムに関して単純化されたシステムを導き、特定の電圧(例えば、300  VDC)が共通の電源から利用可能である場合に、より大きなポータビリティを提供する汎用T／RIMM素子を導く。このアーキテクチャは、その電力変換コンポーネントの大部分がアンテナアレイ内に配置され、小型、軽量、高性能、及び全体的低コストシステムをもたらすことを特徴とする。
【００３２】
代表的な電力変換システムでは、共通モード（CM）電流がスイッチング遷移によって生成され、寄生キャパシタンスによって装置接地に結合される。負荷では、CM電流は差動モードリップルとノイズに変換される。一方、差動(すなわち、ライン対ライン)フィルタは、CM電流を減衰させず、専用のCMフィルタの有効性は、CM電流が、しばしば、数百メガヘルツまでの広い範囲及び高周波数を有するため、制限され得る。かくして、実質的な電磁干渉(EMI)フィルタリングを加えることなしにCM電流を抑制することは、しばしば困難である。
【００３３】
しかしながら、本発明では、高品質係数（Ｑ）シールド対トランジスタ集積低インダクタンスキャパシタ素子が、CM電流を方向づけるように働き、高Ｑシールド対シールド集積低インダクタンスキャパシタ素子がライン対ラインフィルタキャパシタを補完するように働き、高Ｑベースプレート集積低インダクタンスキャパシタ素子が残留CM電流を減衰させるように働く。このことは、CM電流を含むよう変圧器領域内に延在するように配置される集積静電シールドによって達成される。これは、低インダクタンスの内部経路のために、磁気リラクタンス及び漂遊磁場（stray  magnetic  fields）を低減するための個別的(「バルク」)及び集積化構成要素を含む「ハイブリッド」磁気コアの存在をもたらすことによる。また、個別的キャパシタの相対的体積を減少させるよう、磁性体の低ε、高Ｑ誘電体巻線及び磁性体の外側の層に対する高ε誘電体を有する複合誘電体層の存在をもたらすことによる。
【００３４】
図1を参照すると、アンテナ電力システム100が設けられている。アンテナ電力システム100は、ACを受け取るAC／DCコンバータ101と、AC／DCコンバータ101からのDCを受け取る共通DC配線バス102と、複数のT／Rチャネル110とを含む。各T／Rチャネル110は、T／R動作を担当し、電力増幅アセンブリ111及び個別的入力キャパシタ112を含む。個別的入力キャパシタ112は、共通DC配線バス102と電力増幅アセンブリ111との間に電気的に介在される。電力増幅アセンブリ111は、電力増幅器114と集積DC／DCコンバータ115との間に電気的に介在される個別的出力キャパシタ113を含む。集積DC／DCコンバータ115は、電気的に絶縁されたブリッジコンバータ（galvanically-isolated  bridge  converter）として提供され、以下に説明するように変圧器領域内へと延在するシールドを含む。
【００３５】
図２Ａ及び図２Ｂを参照すると、集積DC／DCコンバータ115の構成要素が示されている。図２Ａに示すように、集積DC／DCコンバータ115は、入力部130と出力部140との間に介在する変圧器領域120を含む。入力部130は個別的入力キャパシタ112を含み、出力部140は個別的出力キャパシタ113を含む。変圧器領域120は、磁性材料で形成された磁気コア頂部121と、ベースプレート123上に配置され磁性材料で形成された磁気コア底部122と、磁気コア頂部121の中央部と磁気コア底部122の中央部との間に延在する磁気コアピラー124と、磁気コアピラー124の両側にある複数の連続層125とを含む。連続層125は、シールド材料(すなわち、金属製)及び磁気コア材料の層と、巻線及び磁気コア材料の層と、シールド材料及び磁気コア材料の層とを含み、これらの各層は、誘電材料層126間にインターリーブされる。
【００３６】
実施形態に従って、磁気コア頂部及び磁気コア底部121及び122は同様の幅を有し、磁気コアピラー124は、磁気コア頂部及び磁気コア底部121及び122よりも小さい幅を有する。巻線及び磁気コア材料の連続層125は、磁気コア頂部及び磁気コア底部121及び122のそれぞれの端部へと外方に延びる。
【００３７】
図２Ｂに示すように、連続層125は、一次巻線材料150及び磁気コア材料151の層と、一次巻線材料150及び磁気コア材料151の層の上方にある第１の一次シールド材料152及び磁気コア材料153の層とを有する。連続層125はさらに、一次巻線材料150及び磁気コア材料151の層の下方にある第２の一次シールド材料154及び磁気コア材料155の層を含む。また、連続層125は、二次巻線材料156及び磁気コア材料157の層と、二次巻線材料156及び磁気コア材料157の層の上方の第１の二次シールド材料158及び磁気コア材料159の層とを有する。連続層125はさらに、二次巻線材料156及び磁気コア材料157の層の下方の第２の二次シールド材料160及び磁気コア材料161の層を含む。
【００３８】
第１の一次シールド材料152及び第２の一次シールド材料154の層は、入力部130の個別的入力キャパシタ112から変圧器領域120内へと連続的に延在し、出力部140内の個別的出力キャパシタ113の追加シールド材料162の層(図２Ａ参照)に不連続的に対応する。第１の二次シールド材料158及び第２の二次シールド材料160の層は、出力部140の個別的出力キャパシタ113から変圧器領域120内へと連続的に延在し、入力部130の個別的入力キャパシタ112の追加シールド材料163(図２Ａ参照)の層に不連続的に対応する。
【００３９】
図３を参照すると、一次巻線材料150及び磁気コア材料151の層の上方にある第1の一次シールド材料152及び磁気コア材料153の層において、磁気コア材料153は、磁気コアピラー124の周囲に逆Ｃ字形を形成する。さらに、磁気コア材料153は、誘電材料1530によって囲まれ、誘電材料1531のラインに隣接している。誘電材料1531のラインは、第1の一次シールド材料152を追加的なシールド材料162の層から分離する。一次巻線材料150及び磁気コア材料151の層の下方にある第２の一次シールド材料154及び磁気コア材料155の層も同様に形成される。
【００４０】
図４を参照すると、一次巻線材料150及び磁気コア材料151の層において、磁気コア材料151は、磁気コアピラー124の周りに逆Ｃ字形を形成する。さらに、磁気コア材料151は、誘電材料1510によって囲まれており、誘電材料1511のラインに隣接している。誘電材料1511のラインは、入力キャパシタシールド材料164を出力キャパシタシールド材料165から分離する(図２Ａ参照)。
【００４１】
図５を参照すると、第２の巻線材料156及び磁気コア材料157の層の上にある第1の二次シールド材料158及び磁気コア材料159の層において、磁気コア材料159は、磁気コアピラー124の周囲にＣ字形を形成する。さらに、磁気コア材料159は、誘電材料1590によって囲まれ、誘電材料1591のラインに隣接している。誘電材料1591のラインは、第1の二次シールド材料158を追加的なシールド材料162の層から分離する。二次巻線材料156及び磁気コア材料157の層の下方の第2の二次シールド材料160及び磁気コア材料161の層も同様に形成される。
【００４２】
図６を参照すると、二次巻線材料156及び磁気コア材料157の層において、磁気コア材料157は、磁気コアピラー124の周りにＣ字形を形成する。さらに、磁気コア材料157は、誘電材料1570によって囲まれ、誘電材料1571のリストに隣接している。誘電材料1571のラインは、出力キャパシタシールド材料166を入力キャパシタシールド材料167から分離する(図２Ａ参照)。
【００４３】
出力キャパシタシールド材料165は、第１の二次シールド材料158及び第２の二次シールド材料160の層のものと同様の材料であってもよい。同様に、入力キャパシタシールド材料167は、第1の一次シールド材料152及び第2の一次シールド材料154の層のものと同様の材料であってもよい。
【００４４】
一実施形態に従えば、一次シールド材料及び二次シールド材料の層のすべてが、変圧器領域120内でのみ、別個の層上で同じ体積を占めることができる。このことは、変圧器のフィードスルーキャパシタンスを低減するのに役立つ(すなわち、一次シールドは二次側に交差せず、逆も同様である)。さらに、最高のDC電圧(一次又は二次)を参照するシールド材料の層は、変圧器領域120の下に延在されてもよい。
【００４５】
本開示は、限定された数の実施形態に関してのみ詳細に提供されるが、本開示は、そのような開示された実施形態に限定されないことを容易に理解されたい。むしろ、本開示は、これまで記載されていないが、本開示の精神及び範囲と釣り合った任意の数の編けり、変更、置換又は同等の構成を組み込むように修正することができる。さらに、本開示の様々な実施形態が説明されてきたが、例示的な実施形態は、説明された例示的な態様の一部のみを含んでもよいことが理解されるべきである。従って、本開示は、前述の説明によって限定されるものではなく、添付の特許請求の範囲によってのみ限定される。
【図１】
0006949199.tif 000002
【図２Ａ】
0006949199.tif 000003
【図２Ｂ】
0006949199.tif 000004
【図３】
0006949199.tif 000005
【図４】
0006949199.tif 000006
【図５】
0006949199.tif 000007
【図６】
0006949199.tif 000008